(57)【要約】【課題】  光ディスクを含む記録媒体にデータを記録する記録装置を複数台備え、記録媒体にデータを記録中に記録を中断した記録装置を検出して通知できるようにする。【解決手段】  制御部からの指示に基づいて第１〜第３光ディスク装置は、ステップ１で光ディスクへのデータの記録を開始し、ステップ２で記録エラーが発生したと判断したら、ステップ５〜７で指定回数だけ同じアドレスでの書込み動作を繰り返し、指定回数の再記録をしても記録に成功しなかったら、ステップ８で記録中断メッセージをメッセージボックスに送信する。制御部は、メッセージボックスの記録中断メッセージに基づいて操作表示部に記録が中断した光ディスク装置に関する情報を表示する。【選択図】        図２
2007060038.tif 000002
【特許請求の範囲】
【請求項１】
被複写物の光学的映像をデジタル画像情報に変換する第１変換手段と、前記第１変換手段によって変換されたデジタル画像情報を記憶する画像情報記憶手段と、前記画像情報記憶手段に記憶されたデジタル画像情報を記録紙に印刷する印刷手段と、前記画像情報記憶手段に記憶されたデジタル画像情報を記録媒体に記録するデータに変換する第２変換手段と、前記第２変換手段によって変換されたデジタル画像情報をそれぞれ記録媒体に記録する複数の記録手段と、前記複数の記録装置の中から記録媒体にデータを記録中に記録を中断した記録装置を検出する検出手段と、前記検出手段によって検出した記録装置に関する情報を表示する表示手段とを備えたことを特徴とする画像形成装置。
【請求項２】
前記検出手段によって検出した記録装置に関する情報を記録紙に印刷する手段を設けたことを特徴とする請求項１記載の画像形成装置。
【請求項３】
前記検出手段は、記録媒体にデータを記録中に記録を中断した記録装置によって送信される記録中断メッセージを受信し、該記録中断メッセージを受信したことを検知したとき、前記記録中断メッセージを送信した記録装置を記録媒体にデータを記録中に記録を中断した記録装置として検出する手段である請求項１又は２記載の画像形成装置。
【請求項４】
前記検出手段によって検出した記録装置に関する情報は、記録装置の識別情報と、記録を中断した原因を示す情報と、前記記録媒体上の記録を中断した位置を示す情報を含む情報である請求項１乃至３のいずれか一項に記載の画像形成装置。
【請求項５】
請求項１乃至４のいずれか一項に記載の画像形成装置において、
前記各記録媒体に記録するデータを前記各記録装置毎に一時格納する一時格納手段と、
前記検出手段によって記録を中断した記録装置を検出したとき、前記一時格納手段から前記記録を中断した記録装置の記録媒体に記録するデータを読み出して前記記録を中断した記録装置へ送信する手段とを設けたことを特徴とする画像形成装置。
【請求項６】
請求項１乃至４のいずれか一項に記載の画像形成装置において、
前記各記録媒体に記録するデータを前記各記録装置毎に一時格納する一時格納手段と、
前記検出手段によって記録を中断した記録装置を検出したとき、前記一時格納手段から前記記録を中断した記録装置の記録媒体に記録するデータを読み出して記録紙に印刷する手段とを設けたことを特徴とする画像形成装置。
【発明の詳細な説明】
【技術分野】
【０００１】
この発明は、ファクシミリ、プリンタ、複写機を含む画像形成装置に関する。
【背景技術】
【０００２】
従来、次のような着脱可能な記憶媒体に入出力が可能な外部記憶装置を用いた画像形成装置があった。
（１）着脱可能な記憶媒体に、画像データの他にコピーに必要な情報と操作手順プログラムを記憶する画像形成装置（例えば、特許文献１参照）。
（２）着脱可能な記憶媒体に画像データを書き込む際、その記憶媒体の残容量に応じた縮小処理を行い、連続した画像データが複数枚の記憶媒体にまたがらないようにした画像形成装置（例えば、特許文献２参照）。
（３）画像データと複写処理モード情報を記憶する着脱可能な記憶媒体が装着されると、センサが装着されたことを検出することにより、上記画像データと複写処理モード情報を効率良く記憶媒体に書き込む画像形成装置（例えば、特許文献３参照）。
【０００３】
（４）画像データを暗号化して着脱可能な記憶媒体に記憶する画像形成装置（例えば、特許文献４参照）。
これらの画像形成装置では、処理されるべく入力された複数の画像データを内部記憶手段に蓄積し、その画像データの入出力の管理を行うことが必須となり、また、大容量の着脱可能な記憶媒体（たとえば、光磁気ディスク、ＣＤ−Ｒディスク、ＣＤ−ＲＷディスクを含む記録メディア）を有する外部記憶装置により内部記憶手段をバックアップし、外部記憶装置に保存された画像信号を再出力したり、遠隔地に送付して出力を行うといった要求に対応することも必要となることを示している。
【０００４】
また、光ディスク装置を備えたデジタル複合機を含む画像形成装置としては、上記（３）（４）の他に、次のようなものがあった。
（５）外部記憶装置に記憶された画像データの元のデータがなくても、外部記憶装置の着脱可能な記憶媒体に記憶された画像データに生じる、データの破損、経時劣化、記憶媒体からの読み出しエラー、伝送路におけるデータ化けなどのエラー、をチェックし、生じたエラーの修復を図り得るようにして、記憶される画像データの保守、管理を可能とした画像形成装置（例えば、特許文献５参照）。
これらの画像形成装置は、デジタル複写機の内部記憶装置に記録されたデジタル画像データを光ディスク媒体に出力するといった要求への対応が必要になることを示している。
【特許文献１】特開昭６３−１４６５５５号公報
【特許文献２】特開昭６３−１４６５６７号公報
【特許文献３】特開平０４−２０５２７０号公報
【特許文献４】特開平０６−３１１３７５号公報
【特許文献５】特開２００２−２０７６４３号公報
【発明の開示】
【発明が解決しようとする課題】
【０００５】
しかしながら、複数台の光ディスク装置を備えた画像形成装置において、１台乃至数台の光ディスク装置が記録を中断した場合、そのままだと該光ディスク装置を使用することができなくなり、処理速度が低下するという問題があった。
また、故障を含む各種の原因によって光ディスク装置が記録を中断していた場合、その光ディスク装置で記録させるはずだった情報は、再度ユーザが同じ手順で記録作業を行わなければならず、操作性が低下するという問題があった。
この発明は上記の点に鑑みてなされたものであり、光ディスクを含む記録媒体にデータを記録する記録装置を複数台備え、記録媒体にデータを記録中に記録を中断した記録装置を検出して通知することができるようにすることを目的とする。
【課題を解決するための手段】
【０００６】
この発明は上記の目的を達成するため、次の画像形成装置を提供する。
（１）被複写物の光学的映像をデジタル画像情報に変換する第１変換手段と、上記第１変換手段によって変換されたデジタル画像情報を記憶する画像情報記憶手段と、上記画像情報記憶手段に記憶されたデジタル画像情報を記録紙に印刷する印刷手段と、上記画像情報記憶手段に記憶されたデジタル画像情報を記録媒体に記録するデータに変換する第２変換手段と、上記第２変換手段によって変換されたデジタル画像情報をそれぞれ記録媒体に記録する複数の記録手段と、上記複数の記録装置の中から記録媒体にデータを記録中に記録を中断した記録装置を検出する検出手段と、上記検出手段によって検出した記録装置に関する情報を表示する表示手段を備えた画像形成装置。
【０００７】
（２）上記（１）の画像形成装置において、上記検出手段によって検出した記録装置に関する情報を記録紙に印刷する手段を設けた画像形成装置。
（３）上記（１）又は上記（２）の画像形成装置において、上記検出手段は、記録媒体にデータを記録中に記録を中断した記録装置によって送信される記録中断メッセージを受信し、その記録中断メッセージを受信したことを検知したとき、上記記録中断メッセージを送信した記録装置を記録媒体にデータを記録中に記録を中断した記録装置として検出する手段である画像形成装置。
（４）上記（１）〜（３）のいずれかの画像形成装置において、上記検出手段によって検出した記録装置に関する情報は、記録装置の識別情報と、記録を中断した原因を示す情報と、上記記録媒体上の記録を中断した位置を示す情報を含む情報である画像形成装置。
【０００８】
（５）上記（１）〜（４）のいずれかの画像形成装置において、上記各記録媒体に記録するデータを上記各記録装置毎に一時格納する一時格納手段と、上記検出手段によって記録を中断した記録装置を検出したとき、上記一時格納手段から上記記録を中断した記録装置の記録媒体に記録するデータを読み出して上記記録を中断した記録装置へ送信する手段を設けた画像形成装置。
（６）上記（１）〜（４）のいずれかの画像形成装置において、上記各記録媒体に記録するデータを上記各記録装置毎に一時格納する一時格納手段と、上記検出手段によって記録を中断した記録装置を検出したとき、上記一時格納手段から上記記録を中断した記録装置の記録媒体に記録するデータを読み出して記録紙に印刷する手段を設けた画像形成装置。
【発明の効果】
【０００９】
この発明による画像形成装置は、光ディスクを含む記録媒体にデータを記録する記録装置を複数台備え、記録媒体にデータを記録中に記録を中断した記録装置を検出して通知することができる。
【発明を実施するための最良の形態】
【００１０】
以下、この発明を実施するための最良の形態を図面に基づいて具体的に説明する。
〔実施例〕
図１は、この発明の画像形成装置の一実施例である光ディスク装置付複写機の機能構成を示すブロック図である。
この光ディスク装置付複写機は、図１に示すように、ＣＰＵ、ＲＯＭ及びＲＡＭからなるマイクロコンピュータによって実現され、この光ディスク装置付複写機の全体の制御を司る制御部１と、この光ディスク装置付複写機によって複写される原稿を含む被複写物１２の光学的映像をデジタル画像情報に変換する第１変換手段に相当する受光部２と、受光部２によって変換されたデジタル画像情報を記憶する画像情報記憶手段に相当する画像記憶部３と、画像記憶部３に記憶されたデジタル画像情報を記録紙に印刷する印刷手段に相当するプリンタを含む印刷部４と、印刷部４と第１〜第３光ディスク装置８〜１０へ出力するデジタル画像情報や記録枚数の選択を含む各種の操作入力と記録を中断した光ディスク装置に関する情報の表示を含む各種の情報表示をするための操作表示部５を備えている。
【００１１】
また、画像記憶部３に記憶されたデジタル画像情報を光ディスク（記録媒体に相当する）に記録するためのデータに変換する第２変換手段に相当するデータ変換部６と、第１〜第３光ディスク装置８〜１０によってそれぞれの光ディスクに記録するデータを第１〜第３光ディスク装置８〜１０毎に一時的に格納する一時格納手段に相当する一時格納部７と、データ変換部６によって変換されたデジタル画像情報をそれぞれ光ディスクに記録する複数の記録手段に相当する第１光ディスク装置８、第２光ディスク装置９、第３光ディスク装置１０を備えている。
さらに、制御部１のメッセージボックス１１は、第１光ディスク装置８、第２光ディスク装置９、第３光ディスク装置１０から送信される記録中断メッセージ、正常終了メッセージを含む各種のメッセージを受信して格納する。
【００１２】
また、上記制御部１は、複数の記録装置の中から記録媒体にデータを記録中に記録を中断した記録装置を検出する検出手段の機能を果たす。
さらに、上記制御部１と印刷部４は、上記検出手段によって検出した記録装置に関する情報を記録紙に印刷する手段の機能を果たす。
また、上記検出手段は、記録媒体にデータを記録中に記録を中断した記録装置によって送信される記録中断メッセージを受信し、その記録中断メッセージを受信したことを検知したとき、上記記録中断メッセージを送信した記録装置を記録媒体にデータを記録中に記録を中断した記録装置として検出する手段の機能を果たす。
【００１３】
さらに、上記記録装置に関する情報は、記録装置の識別情報と、記録を中断した原因を示す情報と、記録媒体上の記録を中断した位置を示す情報を含む情報にするとよい。
また、上記制御部１は、上記検出手段によって記録を中断した記録装置を検出したとき、上記一時格納手段から上記記録を中断した記録装置の記録媒体に記録するデータを読み出して上記記録を中断した記録装置へ送信する手段の機能も果たす。
さらに、上記制御部１と印刷部４は、上記検出手段によって記録を中断した記録装置を検出したとき、上記一時格納手段から上記記録を中断した記録装置の記録媒体に記録するデータを読み出して記録紙に印刷する手段の機能を果たす。
【００１４】
次に、この光ディスク装置付複写機の第１〜第３光ディスク装置におけるデータ記録時の処理について説明する。
図２は、この光ディスク装置付複写機の各光ディスク装置におけるデータ記録時の処理を示すフローチャート図である。
この処理は、制御部１からの指示に基づいて第１〜第３光ディスク装置８〜１０は、図２に示すように、ステップ（図中「Ｓ」で示す）１で光ディスクへのデータの記録を開始し、ステップ２で記録エラーが発生したか否かを判断し、記録エラーが発生しなければ、ステップ３で光ディスクへのデータの記録は正常に終了したか否かを判断し、正常終了した場合はステップ４で記録正常終了メッセージをメッセージボックスへ送信してこの処理を終了する。
また、ステップ３で正常終了ではないと判断したら、ステップ１へ戻って上述の処理を繰り返す。
【００１５】
一方、ステップ２で、例えば、光ディスク上のあるアドレスでの書込み動作で記録エラーが発生したと判断したら、ステップ５で同じアドレスへの再記録を実行し、ステップ６で記録が成功したか否かを判断し、成功したらステップ３へ進んで上述の処理を実行し、成功しなければ、ステップ７で予め設定された指定回数の再記録をしたか否かを判断し、指定回数の再記録をしてなければステップ５へ戻って上述の処理を繰り返す。
こうして、指定回数だけ同じアドレスでの書込み動作を繰り返し、指定回数以内の再記録で書込み動作が成功した場合は、ステップ３で光ディスクへのデータの記録は正常に終了したか否かを判断し、正常終了した場合はステップ４で記録正常終了メッセージをメッセージボックスへ送信してこの処理を終了する。
また、ステップ７で指定回数再記録したと判断したら、すなわち、指定回数再記録しても記録に成功しなかったら、ステップ８で記録中断メッセージをメッセージボックスに送信してこの処理を終了する。
【００１６】
次に、この光ディスク装置付複写機における記録を中断した光ディスク装置を検出する処理について説明する。
図３は、この光ディスク装置付複写機における記録を中断した光ディスク装置を検出する処理の説明図である。
【００１７】
制御部１は、ステップ１１でメッセージボックスが記録中断メッセージを受信しているか否かをポーリングで監視する。
例えば、第１光ディスク装置８が記録を正常に終了した場合、ステップ１７で記録正常終了メッセージをメッセージボックスへ送信し、メッセージボックスはその記録正常終了メッセージを受信して格納する。
制御部１は、ポーリングによってメッセージボックスに記録正常終了メッセージが受信されたことを検知すると、ステップ１２でメッセージボックスから記録正常終了メッセージを受信して参照し、第１光ディスク装置８でのデータが正常に終了したことを検出し、その場合は次のポーリングまで待機する。
【００１８】
次に、制御部１は、ステップ１３でメッセージボックスが記録中断メッセージを受信しているか否かをポーリングで監視する。
例えば、第２光ディスク装置９で記録エラーが発生した場合、ステップ１８で第２光ディスク装置は記録中断メッセージをメッセージボックスへ送信し、メッセージボックスはその記録中断メッセージを受信して格納する。
制御部１は、ポーリングによってメッセージボックスに記録中断メッセージが受信されたことを検知すると、ステップ１４でメッセージボックスから記録中断メッセージを受信して参照し、第２光ディスク装置９でデータ記録が中断したことを検出し、記録を中断した光ディスク装置を検出したときの処理を実行する。
【００１９】
制御部１は、ステップ１５でメッセージボックスが記録中断メッセージを受信しているか否かをポーリングで監視する。
例えば、第３光ディスク装置１０が記録を正常に終了した場合、ステップ１９で記録正常終了メッセージをメッセージボックスへ送信し、メッセージボックスはその記録正常終了メッセージを受信して格納する。
制御部１は、ポーリングによってメッセージボックスに記録正常終了メッセージが受信されたことを検知すると、ステップ１６でメッセージボックスから記録正常終了メッセージを受信して参照し、第１光ディスク装置８でのデータが正常に終了したことを検出し、その場合は次のポーリングまで待機する。
【００２０】
この処理で、例えば、第１光ディスク装置８が記録を中断した場合、記録中断メッセージをメッセージボックス１１へ送信すると、メッセージボックス１１は記録中断メッセージを受信してセットする。すると、制御部１はメッセージボックス１１が記録中断メッセージを受信したことを検知し、その記録中断メッセージによって第１光ディスク装置８が記録中断したことを検出する。その検出後にメッセージボックス１１から記録中断メッセージを消去し、制御部１はさらにメッセージボックス１１をポーリングで監視する。
【００２１】
次に、この光ディスク装置付複写機における記録を中断した光ディスク装置に関する情報を表示する処理について説明する。
図４は、この光ディスク装置付複写機における記録を中断した光ディスク装置に関する情報を表示する処理を示すフローチャート図である。
この処理は、制御部１が、ステップ２１で上述した記録中断した光ディスク装置の検出処理を実行し、ステップ２２で記録を中断した光ディスク装置を検出したか否かを判断し、検出しなければこの処理を終了する。
一方、ステップ２２で記録を中断した光ディスク装置を検出したと判断したら、ステップ２３でメッセージボックスから受信した記録中断メッセージに基づいて、記録を中断した光ディスク装置を示す識別情報を取得する。その識別情報とは、光ディスク装置の機種名、型番、任意に割り振られた識別番号、ユーザが任意につけた光ディスク装置の名前を含む情報である。
【００２２】
また、ステップ２４で同じく記録中断メッセージに基づいて記録を中断した原因を示す情報を取得する。通常、光ディスク装置は記録を中断した場合、エラーコードを返す。このエラーコードを記録中断メッセージに含めるようにすれば、記録中断メッセージ中のエラーコードに基づいて記録を中断した原因を得ることができる。
さらに、ステップ２５で光ディスク装置が光ディスク上の記録を中断した位置情報を示すアドレスを取得する。光ディスク装置は記録を中断した場合、光ディスク上の記録を中断したアドレスを記録中断メッセージに含めるようにすれば、光ディスク上の記録を中断したアドレスを得ることができる。
そして、ステップ２６で上記識別情報、原因を示す情報、光ディスク上の記録を中断したアドレスの情報とを記録を中断した光ディスク装置に関する情報として操作表示部に表示し、この処理を終了する。
【００２３】
こうして、複数台の光ディスク装置の中から光ディスクにデータを記録中に記録を中断した光ディスク装置を検出してユーザに通知することができる。
上記光ディスク装置に関する情報の表示において、原因を示す情報、光ディスク上の記録を中断したアドレスの情報については表示するか否かを選択するようにしてもよい。
【００２４】
次に、この光ディスク装置付複写機における記録を中断した光ディスク装置に関する情報を印刷する処理について説明する。
図５は、この光ディスク装置付複写機における記録を中断した光ディスク装置に関する情報を印刷する処理を示すフローチャート図である。
この処理は、制御部１が、ステップ３１で上述した記録中断した光ディスク装置の検出処理を実行し、ステップ３２で記録を中断した光ディスク装置を検出したか否かを判断し、検出しなければこの処理を終了する。
一方、ステップ３２で記録を中断した光ディスク装置を検出したと判断したら、ステップ３３でメッセージボックスから受信した記録中断メッセージに基づいて、記録を中断した光ディスク装置を示す識別情報を取得する。その識別情報とは、光ディスク装置の機種名、型番、任意に割り振られた識別番号、ユーザが任意につけた光ディスク装置の名前を含む情報である。
【００２５】
また、ステップ３４で同じく記録中断メッセージに基づいて記録を中断した原因を示す情報を取得する。通常、光ディスク装置は記録を中断した場合、エラーコードを返す。このエラーコードを記録中断メッセージに含めるようにすれば、記録中断メッセージ中のエラーコードに基づいて記録を中断した原因を得ることができる。
さらに、ステップ３５で光ディスク装置が光ディスク上の記録を中断した位置情報を示すアドレスを取得する。光ディスク装置は記録を中断した場合、光ディスク上の記録を中断したアドレスを記録中断メッセージに含めるようにすれば、光ディスク上の記録を中断したアドレスを得ることができる。
【００２６】
そして、ステップ３６で上記識別情報、原因を示す情報、光ディスク上の記録を中断したアドレスの情報とから構成される記録を中断した光ディスク装置に関する情報の紙出力用データ（この紙出力用データは、印刷部から紙出力可能なファイル形式のデータである）を作成し、ステップ３７でその紙出力用データを印刷部から紙出力し、この処理を終了する。
上記光ディスク装置に関する情報の印刷において、原因を示す情報、光ディスク上の記録を中断したアドレスの情報については表示するか否かを選択するようにしてもよい。
【００２７】
次に、図１の一時格納部について説明する。
図６は、一時格納部７の内部の詳細な構成を示すブロック図である。
この一時格納部７は、光ディスクに記録する変換データを、第１〜第３光ディスク装置８〜１０毎に一時格納する記憶手段の機能を果たす。
図６に示すように、一時格納部７は、第１〜第３光ディスク装置８〜１０毎に対応した一時格納記録領域を有し、第１光ディスク装置８へ送るデータを格納する第１光ディスク装置用一時格納領域２０と、第２光ディスク装置９へ送るデータを格納する第２光ディスク装置用一時格納領域２１と、第３光ディスク装置１０へ送るデータを格納する第３光ディスク装置用一時格納領域２２とからなる。
【００２８】
一時格納部７に記憶するデータとしては、例えば、画像記憶部３から記録命令発行時に指定されたデジタル画像情報を読み出してデータ変換部６によって光ディスクに記録するデータに変換し、出力先が第１光ディスク装置８ならば第１光ディスク装置用一時格納領域２０に、出力先が第２光ディスク装置９ならば第２光ディスク装置用一時格納領域２１に、出力先が第３光ディスク装置１０ならば第３光ディスク装置用一時格納領域２２にそれぞれ格納する。
【００２９】
また、例えば、画像記憶部３に記録されているデジタル画像情報を示す小容量の情報を、一時格納記録領域に記憶させる方法も考えられる。その場合は、制御部１がユーザからの操作入力によって記録命令を受けた時、画像記憶部３から記録命令発行時に指定されたデジタル画像情報のアドレス、サイズ、作成日時を含む情報の中から１つ乃至複数を選び、その情報を、出力先が第１光ディスク装置８ならば第１光ディスク装置用一時格納領域２０に、出力先が第２光ディスク装置９ならば第２光ディスク装置用一時格納領域２１に、出力先が第３光ディスク装置１０ならば第３光ディスク装置用一時格納領域２２にそれぞれ格納する。
【００３０】
次に、この光ディスク装置付複写機における記録を中断した光ディスク装置を検出したときの他の処理について説明する。
まず、記録を中断した光ディスク装置を検出した後、その光ディスク装置が復旧したときの再記録処理について説明する。
制御部１は、第１〜第３光ディスク装置８〜１０へそれぞれデータを出力した後も一時格納部７のそれぞれ第１〜第３光ディスク装置８〜１０に対応する第１〜第３光ディスク装置用一時格納領域２０〜２２にデータを保持し、例えば、第１光ディスク装置８が記録を中断してデータを最後まで完全に記録できなかった場合、復旧した後の再記録で第１光ディスク装置用一時格納領域２０に保持しているデータを読み出して再度第１光ディスク装置８へ送るので、デジタル画像情報を再度光ディスクに記録するデータに変換する処理を行わずに済み、記録中断後のデータの再記録を素早く行うことができる。
【００３１】
次に、記録を中断した光ディスク装置を検出した後、光ディスクへの記録が完了しなかったデータを記録紙に印刷する処理について説明する。
図７は、この光ディスク装置付複写機における記録を中断した光ディスク装置を検出した後、光ディスクへの記録が完了しなかったデータを記録紙に印刷する処理を示すフローチャート図である。
この処理は、制御部１が、ステップ４１で上述した記録中断した光ディスク装置の検出処理を実行し、ステップ４２で記録を中断した光ディスク装置を検出したか否かを判断し、検出しなければこの処理を終了する。
【００３２】
一方、ステップ４２で記録を中断した光ディスク装置を検出したと判断したら、ステップ４３で印刷部が使用中か否かを判断し、使用中の場合は使用可能になるまでステップ４３の判断処理を繰り返して待機する。
ステップ４３で印刷部が使用中でないと判断し、使用可能な場合は、ステップ４４で記録を中断した光ディスク装置に対応する光ディスク装置用一時格納領域に格納されているデータを読み出し、ステップ４５でその読み出したデータを印刷部へ送信し、ステップ４６で印刷部に紙出力開始命令を送信してデータを記録紙に印刷して出力する処理を実行し、ステップ４７で記録を中断した光ディスク装置に対応する光ディスク装置用一時格納領域に格納されているデータを消去し、この処理を終了する。
【００３３】
この実施例の光ディスク装置付複写機は、複数台の光ディスク装置で同時に記録を行った時に、そのうちの１台乃至数台が記録を中断した場合に、記録を中断した光ディスク装置を検出し、その記録を中断した光ディスク装置に関する情報を表示又は印刷して出力するので、複数台の光ディスク装置のどの光ディスク装置が記録を中断したかを容易に知ることができ、操作性を向上させることできる。
また、記録を中断した光ディスク装置を示す情報と共に、光ディスク装置が記録を中断した原因を示す情報と、光ディスク装置が記録を中断した光ディスク上のアドレスを示す情報を表示又は印刷できるので、記録の中断の原因の究明や再記録時の処理を容易に行える。
さらに、記録を中断した光ディスク装置に関する情報が操作表示部に表示しきれない情報量の場合、その全てをユーザが記録紙で参照できるので、操作性を向上させることができる。
【００３４】
また、光ディスクに記録するデータを光ディスク装置毎に一時格納し、記録が中断した光ディスク装置に対してその光ディスク装置に対応する一時格納記憶領域に保持しているデータを再度送信するので、記録エラーが発生した後の再記録を容易に実行することができ、複数台ある光ディスク装置それぞれが記録する画像データを管理し、光ディスク装置毎に異なったデータを記録することが可能になる。
さらに、光ディスクに記録するデータを光ディスク装置毎に一時格納し、記録が中断した光ディスク装置に対してその光ディスク装置に対応する一時格納記憶領域に保持しているデータを記録紙に印刷するので、光ディスク装置が記録を中断したため出力することが出来なかったデジタル画像データを、記録紙に出力してユーザに提供することが可能となる。
なお、上述の実施例では、光ディスク装置を３台備えた場合について説明したが、２台又は４台以上備えた場合でも上述と同様にして実施することができる。
【産業上の利用可能性】
【００３５】
この発明による画像形成装置は、光ディスク装置を含む記録媒体にデータを記録する記録装置を複数台備えたファクシミリ、プリンタ、複写機を含む画像形成装置においても適用することができる。
【図面の簡単な説明】
【００３６】
【図１】この発明の画像形成装置の一実施例である光ディスク装置付複写機の機能構成を示すブロック図である。
【図２】図１に示す光ディスク装置付複写機の各光ディスク装置におけるデータ記録時の処理を示すフローチャート図である。
【図３】図１に示す光ディスク装置付複写機における記録を中断した光ディスク装置を検出する処理の説明図である。
【図４】図１に示す光ディスク装置付複写機における記録を中断した光ディスク装置に関する情報を表示する処理を示すフローチャート図である。
【００３７】
【図５】図１に示す光ディスク装置付複写機における記録を中断した光ディスク装置に関する情報を印刷する処理を示すフローチャート図である。
【図６】図１に示す一時格納部７の内部の詳細な構成を示すブロック図である。
【図７】図１に示す光ディスク装置付複写機における記録を中断した光ディスク装置を検出した後、光ディスクへの記録が完了しなかったデータを記録紙に印刷する処理を示すフローチャート図である。
【符号の説明】
【００３８】
１：制御部    ２：受光部    ３：画像記憶部    ４：印刷部    ５：操作表示部    ６：データ変換部    ７：一時格納部    ８：第１光ディスク装置    ９：第２光ディスク装置    １０：第３光ディスク装置    １１：メッセージボックス    １２：被複写物    ２０：第１光ディスク装置用一時格納領域    ２１：第２光ディスク装置用一時格納領域    ２２：第３光ディスク装置用一時格納領域
【図１】
2007060038.tif 000003
【図２】
2007060038.tif 000004
【図３】
2007060038.tif 000005
【図４】
2007060038.tif 000006
【図５】
2007060038.tif 000007
【図６】
2007060038.tif 000008
【図７】
2007060038.tif 000009